(57)【要約】【課題】電子デバイスとホスト装置との間等の隙間を塞ぐものであって、寸法ばらつきの範囲内で上記隙間を塞ぐような形状にしたとしても、電子デバイスをホスト装置に固定する際等に大きな力が不要な電磁シールド用ガスケットを提供する。【解決手段】電磁シールド用ガスケット１は、弾性材料から形成されるとともに導電性を有する環状のものであって、チューブ状の部材の両端が互いに接続されて環状に形成される。電磁シールド用ガスケット１は、ガスケット１は、所定の張力によって、光データリンク１０の筐体１３の周囲に密着して取付けられる。【選択図】図２
2009253177.tif 000002
【特許請求の範囲】
【請求項１】
弾性材料から形成されるとともに導電性を有する環状の電磁シールド用ガスケットであって、
チューブ状の部材の両端が互いに接続されて環状に形成されることを特徴とする電磁シールド用ガスケット。
【請求項２】
前記チューブ状の部材に、その中空から外部へ貫通する貫通孔が形成されていることを特徴とする請求項１に記載の電磁シールド用ガスケット。
【請求項３】
導電性を有する筐体を備えたプラガブル光データリンクであって、請求項１または２に記載の電磁シールド用ガスケットが伸張された状態で前記筐体に取付けられたことを特徴とするプラガブル光データリンク。
【請求項４】
前記筐体には、外周を囲うように段差が設けられており、当該段差の低い方の部分に前記電磁シールド用ガスケットが取付けられることを特徴とする請求項３に記載のプラガブル光データリンク。
【発明の詳細な説明】
【技術分野】
【０００１】
本発明は、プラガブル光データリンク等の電子デバイスが取付けられる電子機器の電磁シールドを行う電磁シールド用ガスケット及び当該ガスケットを備えるプラガブル光データリンクに関する。
【背景技術】
【０００２】
プラガブル光データリンク（以下、光データリンク）は、光通信を行うコンピュータ、ルータなどの情報機器装置（ホスト装置）本体に着脱自在に装着されて用いられる。
図４は、一般的な光データリンクの構造の一例を説明する図で、図４（Ａ）は、Ｘ２  ＭＳＡ準拠の光データリンクがホスト装置に取付けられるときの様子を示し、図４（Ｂ）は、ホスト装置の光データリンク取付け部の一例を示す。図５は、従来の光データリンクの一例を説明する図で、図５（Ａ），（Ｂ）は其々、その光データリンクを後方及び側方から見た様子を示し、図５（Ｃ）は、図５（Ｂ）の光データリンクのＺ−Ｚ断面を示す。
【０００３】
図４（Ａ）に示すように、光データリンク１０は、その前方に、光コネクタ（図示せず）が挿入される光レセプタクル１１を有する。光データリンク１０は、光レセプタクル１１に光コネクタが挿入されると、光コネクタ中の光ファイバと光データリンク１０内の光モジュールとが光結合し、光信号の送／受信を行うことができるようになる。
【０００４】
この光データリンク１０が搭載されるホスト装置は、図４（Ｂ）に示すように、回路基板（以下、ホスト基板）２０にフェースパネル２１を有し、そのフェースパネル２１には光データリンク１０が挿入される開口２１ａが形成されている。また、ホスト基板２０は、光データリンク１０の挿抜をガイドする金属製のレール２２を有し、このレール２２はフェースパネル２１の開口２１ａに連続している。レール２２内の後方には光データリンク１０とホスト基板２０とを電気的に接続する電気コネクタ２３が配設されている。
【０００５】
光データリンク１０は、その後方からフェースパネル２１の開口２１ａに挿入されるとレール２２にガイドされ、そして、側面に設けられたラッチ片１２と、レール２２の側面の係合孔２２ａとが係合することによりホスト基板２０に固定される（図４（Ａ）参照）。このラッチ片１２と係合孔２２ａとの係合または係合解除を行うことにより、光データリンク１０はレール２２から挿脱ができるようになっている。
【０００６】
光データリンク１０がホスト基板２０に固定された状態で、光データリンク１０の筐体１３とフェースパネル２１の開口２１ａとの間に塞がれていない隙間があると、その隙間から装置外部への電磁ノイズの輻射（ＥＭＩ：Electro Magnetic Interference）が起きてしまう。
従来、この外部への電磁ノイズの不要輻射を低減するために、光データリンクの筐体の周囲に導電性フィンガを設けて金属製のフェースパネルと接触させる技術が知られている。
【０００７】
また、光データリンク１０にベゼル（フランジ）１４を設けておき、電磁シールド用ガスケットを用いる技術も知られている。電磁波輻射を低減する電磁シールド用ガスケットは、光データリンクのベゼルとホスト装置のフェースパネルとの間に圧縮して挟み込まれることで、上述のような隙間を塞ぐことができる。電磁シールド用ガスケットとしては、図４（Ｂ）に示すように、他の電子機器（例えば、携帯電話やパーソナルコンピュータ）にも見られる金属製のシート状のガスケット２４があり、これはフェースパネル２１に設けられた状態で用いられる。
【０００８】
また、電磁シールド用ガスケットとして、図５に示すように、導電性材料でコーティングされた弾性材料から構成されるＯリング状のガスケット２５もあり、これは光データリンク１０の筐体１３の周囲に設けられた状態で用いられる（例えば、特許文献１参照）。
【特許文献１】特開２００５−３１６４８４号公報
【発明の開示】
【発明が解決しようとする課題】
【０００９】
しかし、導電性フィンガを用いる技術では、当該フィンガで光データリンクの筐体とフェースパネルの開口との間の隙間を完全に塞ぐことはできないので、信号周波数のさらなる高速化に対して、シールドの強化が求められる。
【００１０】
また、光データリンク１０は、フェースパネル２１に突き当たって位置決めされるのではなく、ラッチ片１２とレール２２によってホスト装置に対する位置が決められるため、ベゼル１４とフェースパネル２１との間の距離のばらつきが大きい（図４参照）。金属製のシート状の電磁シールド用ガスケット２４では、このばらつきに対応できない。
また、光データリンク１０をラッチ片１２によって固定する際には、通常固定される位置よりもわずかに奥に押し込んでラッチさせる必要がある。押し込んでラッチした後に光データリンク１０が少し戻った位置に固定されたときにも密着を維持することは、シート状の電磁シールド用ガスケット２４では難しい。
【００１１】
図５のような弾性材料で形成されるＯリング状のガスケット２５を太く形成しておくことで、ばらつき等があったとしても、光データリンクの筐体とフェースパネルの開口との間の隙間を塞ぐことはできる。しかし、その場合、ベゼルとフェースパネルとの間の距離が小さいときに、ユーザが光データリンクをラッチする位置まで押し込む際に、大きな力を加える必要があり、破損等の恐れがある。
【００１２】
本発明は、上述のような実情に鑑みてなされ、電子デバイスとホスト装置との間等の隙間を塞ぐものであって、大きな押し込み力を要することなく挿入が可能な電磁シールド用ガスケット及び当該ガスケットを備えるプラガブル光データリンクを提供することを目的とする。
【課題を解決するための手段】
【００１３】
上記課題を解決するために、本発明の電磁シールド用ガスケットは、弾性材料から形成されるとともに導電性を有する環状のものであって、チューブ状の部材の両端が互いに接続されて環状に形成されることを特徴とする。
【００１４】
また、チューブ状の部材には、その中空から外部へ貫通する貫通孔が形成されていることが好ましい。
なお、本発明は、導電性を有する筐体を備えたものであって、上記電磁シールド用ガスケットが伸張された状態で筐体に取付けられたプラガブル光データリンクとすることもできる。その際、上記筐体には、外周を囲うように段差が設けられ、当該段差の低い方の部分に上記電磁シールド用ガスケットが取付けられることが好ましい。
【発明の効果】
【００１５】
本発明によれば、電磁シールド用ガスケットは、弾性材料で形成された断面が中空のチューブ状部材から成るため、容易に変形可能であるので、電子デバイスと装置との間等の隙間を常に塞ぐことができるような形状にしても、電子デバイスを装置に固定する際の力を抑えることができる。
【発明を実施するための最良の形態】
【００１６】
図１乃至図３は、本発明の電磁シールド用ガスケット（以下、ガスケットという）の一例を説明する図である。図１（Ａ）は、ガスケットの外観を示し、図１（Ｂ）は、図１（Ａ）のガスケットのＸ−Ｘ断面を示し、図２（Ａ）は、図１のガスケットが光データリンクに取付けられたときの側方から見た様子を示し、図２（Ｂ）は、図２（Ａ）の光データリンクのＹ−Ｙ断面を示す。図３（Ａ）は、ホスト装置に装着された状態の光データリンクのガスケット付近の様子を断面で示し、図３（Ｂ），（Ｃ）はそれぞれ、図３（Ａ）の点線部を拡大して示す。
【００１７】
本発明のガスケットは、電磁波輻射を低減するために、光データリンク等の電子デバイスとホスト装置との間等に配されて用いられる。ガスケットは、図１（Ａ）に示すように、導電性及び弾性を有する環状形状を有し、図１（Ｂ）に示すような中空１ａを有するチューブ状部材からなる。図に例示のガスケット１は、例えば、弾性材料（シリコン等）から形成されるチューブ状部材（断面が中空の棒状部材）の両端を互いに接着し、その後あるいは接着前に上記の部材を導電性材料でコーティングして形成される。なお、本ガスケットは、チューブ状部材の弾性材料に導電性を有するフィラー（金属フィラー等）を用い、予めチューブ状部材に導電性を持たせておいても良い。
また、ガスケット１の外周側には、中空１ａからチューブ状部材の外部へ貫通する貫通孔１ｂが１または複数形成されている。
【００１８】
ガスケット１は、電子デバイスとホスト装置との間等に圧縮されて（すなわち変形されて）挟み込まれて用いられる。ガスケット１は、太く形成したとしても（断面の外径Ｒ１を大きくしたとしても）中空１ａが設けられているため、変形が容易である。大きな変形量が必要な場合でも、貫通孔１ｂを設けて中空１ａ内の空気が抜けるようにすることで、容易に変形させることができる。また、ガスケット１の断面における内径Ｒ２を大きく形成しておくことで、さらに潰れやすく（変形しやすく）なる。
【００１９】
ガスケット１は、図２（Ａ）に示すように、光データリンク１０の筐体１３の周囲に取付けられて用いられる。本発明のガスケット１は、図５の従来のガスケット２５と異なり、図２（Ｂ）のように、所定の張力によって、光データリンク１０の筐体１３の周囲に密着して取付けられる。ガスケット１の取付け前の長さ（図１（Ａ）の点線部の長さ）Ｌ１は、この密着取付けが可能なように、ガスケット１の内周が筐体１３のガスケット取付け部の外周より短くなるようになっており、ガスケット１は、伸びた状態で筐体１３に取付けられる。つまり、ガスケット１は、取付け後の長さ（図２（Ｂ）の点線部の長さ）Ｌ２が、取付け前の長さＬ１より長くなっている。
【００２０】
ガスケット１の好ましい寸法は、取付け前において、例えば、長さＬ１が９１ｍｍであり、（チューブ部材の）断面における外径Ｒ１及び内径Ｒ２がそれぞれ、２.６ｍｍ及び１.６ｍｍである。また、このガスケット１は、取付け後において、例えば、長さＬ２が１００ｍｍとなる。その際、ガスケット１の断面における外径は、小さくなるが、所定値以上となる。
【００２１】
ガスケット１は、より具体的には、図３（Ａ）に示すように、光データリンク１０のベゼル１４とホスト装置のフェースパネル２１との間に配されるように、光データリンク１０の筐体１３に取付けられて用いられる。
光データリンク１０のベゼル１４とホスト装置のフェースパネル２１との間の隙間（距離）Ｄのばらつきは、所定の範囲内に収まるよう業界標準等で規定されており、例えば、０.００３３〜０.０９６インチ（０.８４〜２.４３ｍｍ）に収まるようにとする仕様もある。
ガスケット１は、この規定された範囲内の隙間を塞ぎ、ＥＭＩを抑制する。
【００２２】
図３（Ｂ）のように、ベゼル１４とフェースパネル２１との間の隙間Ｄが上例の規定の範囲内で最も大きい場合（Ｄ＝２.４３ｍｍ）でも、ガスケット１は、光データリンクへの取付け後の断面における外径を所定値（上記の２.４３ｍｍ）以上にすることが可能であり、ベゼル１４及びフェースパネル２１に十分に接触する。そのため、この場合でも、ガスケット１はＥＭＩを抑制することができる。
【００２３】
一方、図３（Ｃ）のように、上記隙間Ｄが上例の規定の範囲内で最も小さい場合（Ｄ＝０.８４ｍｍ）でも、ガスケット１は、ベゼル１４、筐体１３の下面、及びフェースパネル２１に十分に接触する。そのため、この場合でもＥＭＩを抑制することができる。
また、ガスケット１は、貫通孔１ｂが設けられているので、上記隙間Ｄが小さい場合は、図３（Ｃ）のように、中空１ａ内の空気が押出されるように変形される。このように中空部１ａが設けられたガスケット１は、貫通孔１ｂを設けることにより、内部の空気による反発を抑えて、さらに変形が容易になっており、その断面における内径をさらに大きく形成すればより容易に変形される。
【００２４】
このように変形が容易なため、本ガスケット１を取付けたＸ２  ＭＳＡ準拠の光データリンクのホスト装置への挿入／取付け時に必要な挿入力（ガスケットのつぶれが支配的）を２０Ｎ以下に抑えることができる。
【００２５】
さらに、本ガスケット１は、光データリンク１０の筐体１３に密着しており、また、上記隙間Ｄが２.４３ｍｍでもＥＭＩを抑制できるほどの太さを有するが、上記隙間Ｄが小さい場合でも、フロントパネル２１とベゼル１４との間で挟まれたときにベゼル（Ｘ２  ＭＳＡでは高さが３.４ｍｍ）１４からはみ出ない。そのため、図５（Ｂ），（Ｃ）の従来のガスケット２５（光データリンクに取付けられたときに撓んでベゼルよりはみ出すもの）を用いた光データリンクとは異なり、本ガスケット１を用いた光データリンクには、以下の効果がある。
【００２６】
すなわち、本ガスケット１を用いた光データリンクでは、ガスケット１の筐体１３への接触性がよく、さらに、複数の光データリンクが装着可能なホスト装置に用いたときに、ガスケットがベゼルからはみ出して、隣接する光データリンクとガスケット１が接触することがない。
【００２７】
なお、本ガスケット１が取付けられる光データリンクの筐体の周囲を囲うように段差を設けておき、段差の低い部分をガスケットの取付け部とすることが好ましい。このようにすることにより、太いガスケットが取りけられた光データリンクをホスト装置に装着したときに、ガスケットがフランジからはみ出す可能性を低減させることができる。
【図面の簡単な説明】
【００２８】
【図１】本発明の電磁シールド用ガスケットの一例を説明する図である。
【図２】図１の電磁シールド用ガスケットが取付けられたプラガブル光データリンクの一例を説明する図である。
【図３】プラガブル光データリンクがホスト装置に取付けられたときのガスケットの様子を示す図である。
【図４】従来の光データリンクを説明する図である。
【図５】従来の光データリンクを説明する図である。
【符号の説明】
【００２９】
１…ガスケット、１ａ…中空、１ｂ…貫通孔、１０…光データリンク、１１…光レセプタクル、１２…ラッチ端、１３…筐体、１４…ベゼル、２０…ホスト基板、２１…フェースパネル、２１ａ…開口、２２…レール、２２ａ…係合孔、２３…電気コネクタ、２４…電磁シールド用ガスケット、２５…ガスケット。
【図１】
2009253177.tif 000003
【図２】
2009253177.tif 000004
【図３】
2009253177.tif 000005
【図４】
2009253177.tif 000006
【図５】
2009253177.tif 000007